(57)【要約】   【課題】  前記カラー画像読み取りモードと前記モノクロ画像読み取りモードを切り替えても、速やかに画像データの読み取りを開始した上で、尚且つ、紙幣や有価証券等の偽造を防止可能な画像処理装置を提供する。  【解決手段】  画像読取手段３に読取られた画像データを一時格納するラインバッファ２３と、ラインバッファ２３から読出した画像データと所定のパターン辞書データに基づいて原稿画像が特定原稿画像であるか否かを識別する原稿画像識別手段２５を備えた画像処理装置であって、原稿読取動作及び画像データの前記ラインバッファへの書込み動作を制御する第一のシステムクロックを生成する第一クロック生成部２６と、ラインバッファ２３からの画像データの読出し動作及び読出された画像データに基づく原稿画像識別手段２５の識別動作を制御する第二のシステムクロックを生成する第二クロック生成部２７を分離して設ける。  【選択図】  図１
2007036918.tif 000002
【特許請求の範囲】
【請求項１】
原稿画像を読み取る画像読取手段と、前記画像読取手段により読み取られた画像データを一時格納するラインバッファと、前記ラインバッファから読み出した画像データと所定のパターン辞書データに基づいて前記原稿画像が特定原稿画像であるか否かを識別する原稿画像識別手段を備えてなる画像処理装置であって、
前記原稿読取手段による原稿読取動作及び読み取られた画像データの前記ラインバッファへの書込み動作を制御する第一のシステムクロックを生成する第一クロック生成部と、前記ラインバッファからの画像データの読出し動作及び読み出された画像データに基づく前記原稿画像識別手段の識別動作を制御する第二のシステムクロックを生成する第二クロック生成部を分離して設けてある画像処理装置。
【請求項２】
前記ラインバッファからの画像データの読出し動作は、前記第一のシステムクロックから生成されたライン同期信号に同期して実行される請求項１記載の画像処理装置。
【請求項３】
前記第一クロック生成部に前記第一システムクロックの周波数を切り替える周波数切替手段を備えている請求項１または２記載の画像処理装置。
【発明の詳細な説明】
【技術分野】
【０００１】
本発明は、原稿画像を読み取る画像読取手段と、前記画像読取手段により読み取られた画像データを一時格納するラインバッファと、前記ラインバッファから読み出した画像データと所定のパターン辞書データに基づいて前記原稿画像が特定原稿画像であるか否かを識別する原稿画像識別手段を備えてなる画像処理装置に関する。
【背景技術】
【０００２】
近年、カラー複写機等の画像処理装置は、紙幣や有価証券等を偽造可能な程にその性能が向上している。そこで、前記カラー複写機による紙幣や有価証券等の偽造を防止すべく、前記カラー複写機は、予め紙幣や有価証券等に含まれる特定画像や特定の繰り返しパターンが記憶されたパターン辞書データと、前記パターン辞書データに基づいて前記原稿画像が紙幣や有価証券等の特定原稿画像であるか否かを識別する原稿画像識別手段を備え、前記原稿画像識別手段により前記原稿画像が特別原稿画像であると識別されたときには、前記原稿画像の複写を禁止するように構成されている。
【０００３】
また、前記カラー複写機は、所定の周波数のシステムクロックを生成するシステムクロック生成部を備え、前記生成されたシステムクロックに基づいて原稿画像の画像データとしての読み取り動作や、前記読み取った画像データに対する所定の処理動作を実行している。
【０００４】
更に、前記カラー複写機は、原稿画像をカラー画像としてプリント出力するために、前記原稿画像を、例えば、Ｒ成分、Ｇ成分、Ｂ成分等の色成分毎に分解した画像データとして読み取るカラー画像読み取りモードと、原稿画像をモノクロ画像データとして読み取ることで、原稿画像をモノクロ画像としてしかプリント出力できない代わりに、画像データの読み取り速度等を速くするモノクロ画像読み取りモードを兼ね備えている。しかし、前記カラー画像読み取りモードと前記モノクロ画像読み取りモードでは、前記原稿画像の画像データとしての読み取り時間や、前記読み取った画像データへの所定の処理に費やす時間が異なるため、前記モノクロ画像読み取りモードにおける画像データの読み取り速度等をより速くするために、前記システムクロック生成部は、前記カラー画像読み取りモードと前記モノクロ画像読み取りモードで前記システムクロックの周波数を切り替えるように構成されている。
【０００５】
また、前記原稿画像識別手段においても、前記システムクロックに基づいて前記特別原稿画像の識別処理を実行するように構成されているが、特に、前記原稿画像識別手段においては、その内部にＰＬＬ回路を備え、前記ＰＬＬ回路により前記システムクロックを、その周波数が数倍となる識別クロックに変換し、前記識別クロックに基づいて前記特別原稿画像の識別処理を実行するように構成されている。このため、前記原稿画像識別手段は、前記システムクロック生成部により前記システムクロックの周波数が切り替えられると、その後の前記特別原稿画像の識別処理動作が不安定となる可能性があるため、例えば、前記カラー画像読み取りモードから前記モノクロ画像読み取りモードへ変更されたときや、前記モノクロ画像読み取りモードから前記カラー画像読み取りモードへ変更されたときのように、前記システムクロック生成部が前記システムクロックの周波数を切り替えるときに、前記カラー複写機は、一旦、前記原稿画像識別手段を初期化していた。
【特許文献１】特開平７−１２３２５４号公報
【特許文献２】特開２００４−２７４６９７号公報
【発明の開示】
【発明が解決しようとする課題】
【０００６】
しかし、上述の従来技術のように、前記システムクロック生成部が前記システムクロックの周波数を切り替えるときに、つまり、前記カラー画像読み取りモードと前記モノクロ画像読み取りモードを切り替えるときに、前記原稿画像識別手段を初期化すると、前記パターン辞書データを読み出し直す必要が生じ、前記原稿画像識別手段の初期化そのものに費やす時間の他に、前記パターン辞書データを読み出すためにも多くの時間を費やすことととなり、結果として、画像データの読み取りに多くの時間を費やしてしまうことが問題となっていた。
【０００７】
本発明は、上述の従来欠点に鑑み、前記カラー画像読み取りモードと前記モノクロ画像読み取りモードを切り替えても、速やかに画像データの読み取りを開始した上で、尚且つ、紙幣や有価証券等の偽造を防止可能な画像処理装置を提供する点にある。
【課題を解決するための手段】
【０００８】
上述の目的を達成するため、本発明による画像処理装置の第一の特徴構成は、特許請求の範囲の書類の請求項１に記載した通り、原稿画像を読み取る画像読取手段と、前記画像読取手段により読み取られた画像データを一時格納するラインバッファと、前記ラインバッファから読み出した画像データと所定のパターン辞書データに基づいて前記原稿画像が特定原稿画像であるか否かを識別する原稿画像識別手段を備えてなる画像処理装置であって、前記原稿読取手段による原稿読取動作及び読み取られた画像データの前記ラインバッファへの書込み動作を制御する第一のシステムクロックを生成する第一クロック生成部と、前記ラインバッファからの画像データの読出し動作及び読み出された画像データに基づく前記原稿画像識別手段の識別動作を制御する第二のシステムクロックを生成する第二クロック生成部を分離して設けてある点にある。
【０００９】
上述の構成とすることにより、例えば、前記画像読取手段が、原稿画像をＲ成分、Ｇ成分、Ｂ成分等の色成分毎に分解した画像データとして読み取るカラー画像読み取りモードと、原稿画像をモノクロ画像データとして読み取るモノクロ画像読み取りモードを兼ね備え、前記画像読み取りモードに応じて前記第一のシステムクロックの周波数が切り替えられても、前記第二のシステムクロックの周波数を切り替える必要はなく、また、前記原稿画像識別手段は、常に、前記第二のシステムクロックに基づいて識別動作を制御されることとなるため、前記原稿画像識別手段の動作を安定させるために当該原稿画像識別手段の初期化を行う必要もなくなるのである。つまり、前記カラー画像読み取りモードと前記モノクロ画像読み取りモードを切り替えても、速やかに画像データの読み取りを開始した上で、尚且つ、紙幣や有価証券等の偽造を防止することが可能となるのである。
【００１０】
同第二の特徴構成は、同請求項２に記載した通り、上述の第一の特徴構成に加えて、前記ラインバッファからの画像データの読出し動作は、前記第一のシステムクロックから生成されたライン同期信号に同期して実行される点にある。
【００１１】
上述の構成とすることにより、前記原稿読取手段による原稿読取動作及び読み取られた画像データの前記ラインバッファへの書込み動作を制御する第一のシステムクロックを生成する第一クロック生成部と、前記ラインバッファからの画像データの読出し動作及び読み出された画像データに基づく前記原稿画像識別手段の識別動作を制御する第二のシステムクロックを生成する第二クロック生成部を分離して設けてあっても、前記原稿読取手段による原稿読取動作及び読み取られた画像データの前記ラインバッファへの書込み動作と、前記ラインバッファからの画像データの読出し動作及び読み出された画像データに基づく前記原稿画像識別手段の識別動作を同期させることが可能となるのである。
【００１２】
同第三の特徴構成は、同請求項３に記載した通り、上述の第一または第二の特徴構成に加えて、前記第一クロック生成部に前記第一システムクロックの周波数を切り替える周波数切替手段を備えている点にある。
【００１３】
上述の構成とすることにより、例えば、前記画像読取手段が、原稿画像をＲ成分、Ｇ成分、Ｂ成分等の色成分毎に分解した画像データとして読み取るカラー画像読み取りモードと、原稿画像をモノクロ画像データとして読み取るモノクロ画像読み取りモードを兼ね備えたようなときに、前記画像読み取りモードに応じて前記第一のシステムクロックの周波数を切り替えることが可能となるのである。
【発明の効果】
【００１４】
以上説明した通り、本発明によれば、前記カラー画像読み取りモードと前記モノクロ画像読み取りモードを切り替えても、速やかに画像データの読み取りを開始した上で、尚且つ、紙幣や有価証券等の偽造を防止可能な画像処理装置を提供することができるようになった。
【発明を実施するための最良の形態】
【００１５】
以下、本発明による画像処理装置をデジタル複写機１に適用した場合の実施形態について説明する。前記デジタル複写機１は、図２に示すように、各種の複写モードを設定する複写モード設定キーや設定された複写モードで複写動作を起動するプリントキーなどが配置された操作パネル部２と、原稿載置部にセットされた一連の原稿における原稿画像をＣＣＤラインセンサにより順次画像データとして読み込む画像読取手段３と、前記画像読取手段３に読み取られた画像データに所定の処理を施し、前記操作パネル部２を介したユーザからのジョブリクエストに基づいてドキュメントデータを生成する画像データ処理手段４と、前記画像データ処理手段４により生成されたドキュメントデータに基づいてプリント用紙上にトナー像を形成してプリント出力する電子写真方式の画像形成手段５と、それぞれ異なるサイズまたは種類のプリント用紙が収容された複数の給紙カセット６（６ａ〜６ｄ）を備えて構成されている。
【００１６】
前記画像読取手段３は、前記操作パネル部２を介したユーザから操作指示に基づいて、前記原稿画像を、例えば、Ｒ成分、Ｇ成分、Ｂ成分等の色成分毎に分解した画像データＲＧＢａとして読み取るカラー画像読み取りモード、または、前記原稿画像をモノクロ画像データＹａとしての輝度画像データＹａとして読み取るモノクロ画像読み取りモードの何れかで、前記原稿画像を画像データとして読み取るように構成されている。尚、前記画像データの読み取り動作は、後述のライン同期信号及びシステムクロックに基づいて実行されるように構成されている。
【００１７】
前記画像データ処理手段４は、図１に示すように、前記画像読取手段３により読み取られたアナログ画像データＲＧＢａまたはＹａをデジタル画像データＲＧＢｄまたはＹｄに変換するＡ／Ｄ変換器２１と、前記変換されたデジタル画像データＲＧＢｄまたはＹｄに対してシェーディング補正等の入力補正を行う入力画像補正手段２２と、前記入力補正されたデジタル画像データＲＧＢｈまたはＹｈを一時格納するラインバッファ２３と、前記ラインバッファ２３に一時格納されたデジタル画像データＲＧＢｈまたはＹｈを読み出して、前記操作パネル部２を介したユーザからのジョブリクエストに基づいてドキュメントデータＣＭＹＫまたはＹＫを生成するとともに、前記生成したドキュメントデータＣＭＹＫまたはＹＫを前記画像形成手段５に出力する画像処理手段２４と、同じく前記ラインバッファ２３に一時格納されたデジタル画像データＲＧＢｈまたはＹｈを読み出して、所定のパターン辞書データに基づいて前記デジタル画像データＲＧＢｈまたはＹｈが特定原稿画像に基づいた画像データであるか否かを識別し、前記デジタル画像データＲＧＢｈまたはＹｈが前記特定原稿画像に基づいた画像データであると識別されたときに、前記デジタル画像データＲＧＢｈまたはＹｈに基づいたドキュメントデータＣＭＹＫ、ＹＫの生成や出力等を禁止する原稿画像識別手段２５と、前記原稿読取手段３による画像データ読み取り動作や前記入力補正されたデジタル画像データＲＧＢｈまたはＹｈの前記ラインバッファ２３への書き込み動作等を制御するための第一のシステムクロックＳａ１等を生成する第一クロック生成部２６と、前記ラインバッファ２３からの前記デジタル画像データＲＧＢｈまたはＹｈの読み出し動作や読み出された前記デジタル画像データＲＧＢｈまたはＹｈに基づく前記原稿画像識別手段２５の識別動作等を制御する第二のシステムクロックＳａ２を生成する第二クロック生成部２７を備えて構成されている。尚、前記第一クロック生成部２６と前記第二クロック生成部は分離して設けられている。
【００１８】
前記第一クロック生成部２６は、前記画像読取手段３による前記原稿画像のアナログ画像データＲＧＢａまたはＹａとしての画像データ読み取り動作と、前記Ａ／Ｄ変換器２１による前記アナログ画像データＲＧＢａまたはＹａの前記デジタル画像データＲＧＢｄまたはＹｄへの変換動作と、前記入力画像補正手段２２による前記デジタル画像データＲＧＢｄまたはＹｄの入力補正動作と、前記入力画像補正手段２２により入力補正されたデジタル画像データＲＧＢｈまたはＹｈを前記ラインバッファ２３へ書き込む画像データ書き込み動作を、それぞれ同期して実行させるための第一のシステムクロックＳａ１を生成するとともに、前記システムクロックＳａ１に基づいてライン同期信号ＳＬを生成するもので、前記カラー読み取りモードに対応した第一の所定の周波数の第一基準クロック信号Ｓｋ１を発信する第一クロック発信手段２８と、前記モノクロ読み取りモードに対応した第二の所定の周波数の第二基準クロック信号Ｓｋ２を発信する第二クロック発信手段２９と、前記読み取りモードに応じて前記第一基準クロック信号Ｓｋ１と前記第二基準クロック信号Ｓｋ２の何れか一方を選択し、前記第一のシステムクロックＳａ１として出力する周波数切替手段３０と、前記第一のシステムクロックＳａ１に基づいて前記ライン同期信号ＳＬを生成するライン同期信号生成手段３１を備えて構成されている。
【００１９】
前記ラインバッファ２３は、図３に示すように、前記ＣＣＤラインセンサの１走査ライン分の前記デジタル画像データＲＧＢｈまたはＹｈを書き込み可能な２組の走査ラインバッファＢａ１、Ｂａ２を備え、図４に示すように、前記ライン同期信号ＳＬに基づいて、例えば、第一走査ラインバッファ選択スイッチＳｗ１が切り替えられることにより、前記走査ラインバッファＢａ１と前記走査ラインバッファＢａ２が交互に順次選択され、選択された走査ラインバッファに前記第一のシステムクロックＳａ１に基づいて順次前記デジタル画像データＲＧＢｈまたはＹｈが書き込まれるように構成されている。
【００２０】
また、前記ラインバッファ２３は、前記ライン同期信号ＳＬに基づいて、例えば、第二走査ラインバッファ選択スイッチＳｗ２が切り替えられることにより、前記走査ラインバッファＢａ１と前記走査ラインバッファＢａ２が交互に順次選択され、選択された走査ラインバッファに書き込まれている前記デジタル画像データＲＧＢｈまたはＹｈが前記画像処理手段２４及び前記原稿画像識別手段２５によって前記第二のシステムクロックＳａ２に基づいて順次読み出されるように構成されている。
【００２１】
尚、前記第一走査ラインバッファ選択スイッチＳｗ１と前記第二走査ラインバッファ選択スイッチＳｗ２は、互いに異なる走査ラインバッファを選択するように構成されている。つまり、前記デジタル画像データＲＧＢｈまたはＹｈが書き込まれている走査ラインバッファと、前記デジタル画像データＲＧＢｈまたはＹｈが読み出されている走査ラインバッファが、常時、異なるように構成されている。
【００２２】
以下、前記画像データ処理手段４の動作について図５のフローチャートに基づいて説明する。前記操作パネル部２を介してユーザからカラー画像読み取りモードを指示されると（ＳＡ１）、前記周波数切替手段３０は、前記第一クロック発信手段２８が発信する前記カラー画像読み取りモードに対応した第一の所定の周波数の第一基準クロック信号Ｓｋ１を選択し、前記第一基準クロック信号Ｓｋ１を前記第一のシステムクロックＳａ１として出力する（ＳＡ２）。一方、前記操作パネル部２を介してユーザからモノクロ画像読み取りモードを指示されると（ＳＡ１）、前記周波数切替手段３０は、前記第二クロック発信手段２９が発信する前記モノクロ画像読み取りモードに対応した第二の所定の周波数の第二基準クロック信号Ｓｋ２を選択し、前記第二基準クロック信号Ｓｋ２を前記第一のシステムクロックＳａ１としての出力を開始する（ＳＡ３）。
【００２３】
前記ライン同期信号生成手段３１は、前記第一のシステムクロックＳａ１に基づいてライン同期信号ＳＬを生成するとともに、前記生成したライン同期信号ＳＬの出力を開始する（ＳＡ４）。また、前記第二クロック生成部２７は、前記第二のシステムクロックＳａ２を生成して出力を開始する（ＳＡ５）。
【００２４】
前記原稿画像が、ライン同期信号ＳＬ及び前記第一のシステムクロックＳａ１に基づいて前記画像読取手段３によりカラーまたはモノクロのアナログ画像データＲＧＢａまたはＹａとして読み取りが開始されると（ＳＡ６）、前記Ａ／Ｄ変換器２１は、順次読み取られ入力されてくる前記アナログ画像データＲＧＢａまたはＹａを前記第一のシステムクロックＳａ１に基づいてデジタル画像データＲＧＢｄまたはＹｄに順次変換する（ＳＡ７）。また、前記入力画像補正手段２２は、前記変換されたデジタル画像データＲＧＢｄまたはＹｄに対して前記第一のシステムクロックＳａ１に基づいてシェーディング補正等の入力補正を行う（ＳＡ８）。
【００２５】
前記入力補正されたデジタル画像データＲＧＢｈまたはＹｈは、前記ラインバッファ２３に一時格納された後、前記画像処理手段２４及び原稿画像識別手段２５によって読み出される。
【００２６】
つまり、前記入力補正されたデジタル画像データＲＧＢｈまたはＹｈは、前記ライン同期信号ＳＬに基づいて、前記第一走査ラインバッファ選択スイッチＳｗ１が切り替えられることにより、前記走査ラインバッファＢａ１と前記走査ラインバッファＢａ２が交互に順次選択され、前記選択された走査ラインバッファに前記第一のシステムクロックＳａ１に基づいて順次前記デジタル画像データＲＧＢｈまたはＹｈが書き込まれる（ＳＡ９）。
【００２７】
また、同時に、前記ライン同期信号ＳＬに基づいて、前記第二走査ラインバッファ選択スイッチＳｗ２が、前記第一走査ラインバッファ選択スイッチＳｗ１により選択された走査ラインバッファと異なる方の走査ラインバッファを選択するように切り替えられることで、前記走査ラインバッファＢａ１と前記走査ラインバッファＢａ２が交互に順次選択され、前記選択された走査ラインバッファに書き込まれている前記デジタル画像データＲＧＢｈまたはＹｈが前記画像処理手段２４及び前記原稿画像識別手段２５によって前記第二のシステムクロックＳａ２に基づいて順次読み出される（ＳＡ１０）。
【００２８】
前記走査ラインバッファの何れにおいても前記デジタル画像データＲＧＢｈまたはＹｈが空になると（ＳＡ１１）、前記原稿画像識別手段２５は、前記ラインバッファ２３から読み出したデジタル画像データＲＧＢｈまたはＹｈが、紙幣や有価証券等の特定原稿画像に基づいた画像データであるか否かを、予め紙幣や有価証券等に含まれる特定画像や特定の繰り返しパターンが記憶された前記パターン辞書データに基づいて識別する。
【００２９】
そして、前記原稿画像識別手段２５は、前記ラインバッファ２３から読み出したデジタル画像データＲＧＢｈまたはＹｈが、前記特定原稿画像に基づいた画像データでないと識別すると（ＳＡ１２）、前記画像処理手段２４による前記デジタル画像データＲＧＢｈまたはＹｈに基づいたドキュメントデータＣＭＹＫまたはＹＫの生成や出力等を許容する。つまり、前記画像処理手段２４は、前記読み出したデジタル画像データＲＧＢｈまたはＹｈと前記操作パネル部２を介したユーザからのジョブリクエストに基づいてドキュメントデータＣＭＹＫまたはＹＫを生成するとともに（ＳＡ１３）、前記生成したドキュメントデータＣＭＹＫまたはＹＫを前記画像形成手段５に出力する（ＳＡ１４）。
【００３０】
また、前記原稿画像識別手段２５は、前記ラインバッファ２３から読み出したデジタル画像データＲＧＢｈまたはＹｈが、前記特定原稿画像に基づいた画像データでないと識別すると（ＳＡ１２）、前記画像処理手段２４による前記デジタル画像データＲＧＢｈまたはＹｈに基づいたドキュメントデータＣＭＹＫまたはＹＫの生成や出力等を禁止する。
【００３１】
つまり、当該デジタル複写機１は、前記画像読み取りモードに応じて前記第一のシステムクロックＳａ１の周波数が前記周波数切替手段３０により切り替えられても、前記第二のシステムクロックＳａ２の周波数を切り替える必要はなく、また、前記原稿画像識別手段２５は、常に、前記第二のシステムクロックＳａ２に基づいて識別動作を制御されることとなるため、前記原稿画像識別手段２５の動作を安定させるために当該原稿画像識別手段２５の初期化を行う必要もない。よって、前記カラー画像読み取りモードと前記モノクロ画像読み取りモードを切り替えても、速やかに画像データの読み取りを開始した上で、尚且つ、紙幣や有価証券等の偽造を防止することができる。
【００３２】
尚、上述した実施形態は、本発明の一例に過ぎず、本発明の作用効果を奏する範囲において各ブロックの具体的構成等を適宜変更設計できることは言うまでもない。
【図面の簡単な説明】
【００３３】
【図１】画像データ処理手段の説明図
【図２】デジタル複写機の説明図
【図３】ラインバッファの説明図
【図４】ラインバッファへの画像データの書き込み、及び、ラインバッファからの画像データの読み出しを説明するためのタイミングチャート
【図５】画像データ処理手段の動作について説明するためのフローチャート
【符号の説明】
【００３４】
１：デジタル複写機
３：画像読取手段
４：画像データ処理手段
５：画像形成手段
２１：Ａ／Ｄ変換器
２２：入力画像補正手段
２３：ラインバッファ
２４：画像処理手段
２５：原稿画像識別手段
２６：第一クロック生成部
２７：第二クロック生成部
２８：第一クロック発信手段
２９：第二クロック発信手段
３０：周波数切替手段
３１：ライン同期信号生成手段
【図１】
2007036918.tif 000003
【図２】
2007036918.tif 000004
【図３】
2007036918.tif 000005
【図４】
2007036918.tif 000006
【図５】
2007036918.tif 000007